(57)【要約】【課題】  クッションとしても使用できるポンチョを提供するものである。【解決手段】  着用者の両肩から胸側に垂下される前面部１１と、着用者の両肩から背中側に垂下される背面部１２とを有し、着用者が首を出すための首出し穴１０ａが前面部１１と背面部１２との境界中央部分に設けられたポンチョ１０において、前面部１１の外面における下部中央に伸縮性を有するポケット生地１３を縫着して上向きポケット１３ａを形成する。ポンチョ１０の非着用時には、前面部１１及び背面部１２がポケット生地１３と同等の大きさになるまで前面部１１及び背面部１２を背面部１２側で折り畳んだ後、上向きポケット１３ａを裏返し、裏返された上向きポケット１３ａの内部に、前面部１１及び背面部１２における折り畳まれた部分を収容することにより、クッションとして使用することができる。【選択図】図２
2015101810.tif 000002
【特許請求の範囲】
【請求項１】
着用者の両肩から胸側に垂下される前面部と、
着用者の両肩から背中側に垂下される背面部と
を有し、
着用者が首を出すための首出し穴が前面部と背面部との境界中央部分に設けられた
ポンチョであって、
前面部の外面における下部中央に伸縮性を有するポケット生地が縫着されて上向きポケットが形成され、
非着用時には、前面部及び背面部がポケット生地と同等の大きさになるまで前面部及び背面部を背面部側で折り畳んだ後、上向きポケットを裏返し、裏返された上向きポケットの内部に、前面部及び背面部における折り畳まれた部分を収容することにより、クッションとして使用できるようにした
ことを特徴とするポンチョ。
【請求項２】
ポケット生地の伸び率が１１０〜２００％である請求項１記載のポンチョ。
【請求項３】
前面部及び背面部が、厚さ０．５〜５ｍｍの不織布によって形成された請求項１又は２記載のポンチョ。
【請求項４】
前面部の横長Ｌ１に対するポケット生地の横長Ｌ２の比Ｌ２／Ｌ１が１／１０〜１／３とされ、
前面部の縦長Ｌ３に対するポケット生地の縦長Ｌ４の比Ｈ４／Ｈ３が１／４〜１／２とされた
請求項１〜３いずれか記載のポンチョ。
【請求項５】
前面部が、その下縁が円弧状に形成されて上縁が直線状に形成された欠円状を為し、
背面部が、前面部と略合同形状を為す
請求項１〜４いずれか記載のポンチョ。
【発明の詳細な説明】
【技術分野】
【０００１】
本発明は、クッションや座布団や膝掛けなどとしても使用できるポンチョに関する。
【背景技術】
【０００２】
ポンチョは、着用者が頭を出すための頭出し穴を生地の中央部にあけただけの簡素な構造の衣服であり、スポーツ観戦の際などに外套として着用されている。現在、市販されているポンチョには、着用者の頭部を覆うためのフードなど、防寒性をさらに高めるための工夫を施したものも見受けられる。また、非着用時には、クッションなど、他の物品として使用できるようにしたポンチョも提案されている。
【０００３】
例えば、特許文献１には、フードを備えたポンチョであって、非着用時には、その胴体部を折り畳んでフードの内部に収容することにより、クッションとして使用できるようにしたものが提案されている。引用文献１のポンチョは、同文献の図３に示されるように、その胴体部を折り畳んだ後、同文献の図４に示されるように、フードをひっくり返してその内側に胴体部を収容することにより、クッションとして使用できるものとされている（同文献の段落０００８）。
【０００４】
しかし、引用文献１のポンチョは、ポンチョにおけるフードであった部分が、クッションにおけるカバーに相当する部分になる構造となっている。このため、引用文献１のポンチョは、フード付きのものでなければ実現できないという欠点がある。加えて、フードの側面視形状が矩形状（クッションの平面視形状）に限定されてしまい、着用者の後頭部の膨らみに合わせた膨出部をフードの背面部に設けるといったことも困難である（仮に、フードの背面部に膨出部を設けると、クッションとしての使用時に、不格好な余った部分が形成されることになる。）。
【０００５】
また、引用文献１のポンチョは、クッションとして使用する場合に、フードの内面が外側に表れる構造となっている。このため、引用文献１のポンチョでは、クッションとしての使用時にその外面が土などで汚れてしまい、その後、ポンチョとして着用する場合（フードを被る場合）には、その汚れた部分が着用者の頭部に触れるようになってしまうという欠点もある。加えて、クッションの外面に表れるのに相応しい生地でフードの内面を形成する必要もある。
【０００６】
さらに、引用文献１のポンチョは、着用者の左半身を覆う生地と着用者の右半身を覆う生地とを左右に繋ぎ合せることにより、胴体部を形成するものとなっている（同文献の段落０００６及び図１）。このため、引用文献１のポンチョを着用すると、胴体部の縫合部分が、着用者の胸側中央部と背中側中央部といった目立ちやすい箇所に表れるなど、引用文献１のポンチョは、必ずしも着用時の見た目が良いものとはなっていない。
【先行技術文献】
【特許文献】
【０００７】
【特許文献１】実開平０６−０６９２０７号公報
【発明の概要】
【発明が解決しようとする課題】
【０００８】
本発明は、上記課題を解決するためになされたものであり、クッションとしても使用できるポンチョ（クッション兼用ポンチョ）であって、ポンチョにおけるフード以外の部分がクッションにおけるカバーに相当する部分になる構造のポンチョを提供するものである。
具体的には、本発明は、
（１）フードの有無にかかわらず、クッションとして使用できるクッション兼用ポンチョを提供すること。
（２）フードの形状がクッションの形状に影響されないクッション兼用ポンチョを提供すること。
（３）クッションとしての使用時にその外面が汚れたとしても、ポンチョとしての着用時にその汚れた部分が着用者の頭部に触れることのないクッション兼用ポンチョを提供すること。
（４）ポンチョとしての着用時の見た目が良いクッション兼用ポンチョを提供すること。
を目的とするものである。
【課題を解決するための手段】
【０００９】
上記課題は、着用者の両肩から胸側に垂下される前面部と、着用者の両肩から背中側に垂下される背面部とを有し、着用者が首を出すための首出し穴が前面部と背面部との境界中央部分に設けられたポンチョであって、前面部の外面における下部中央に伸縮性を有するポケット生地が縫着されて上向きポケット（ポケット生地の上縁に沿った箇所が開口部となるポケット）が形成され、非着用時には、前面部及び背面部がポケット生地と同等の大きさになるまで前面部及び背面部を背面部側で折り畳んだ後、上向きポケットを裏返し、裏返された上向きポケットの内部に、前面部及び背面部における折り畳まれた部分を収容することにより、クッションとして使用できるようにしたことを特徴とするポンチョを提供することによって解決される。
【００１０】
本発明のポンチョでは、上記のように、フードが必須の構成となっていない。このため、本発明のポンチョは、フードの有無にかかわらず、実現することが可能である。加えて、本発明のポンチョにフードを設ける場合でも、フードの形状は、クッションの形状にかかわらずデザインすることが可能である。また、本発明のポンチョは、ポケット生地と、前面部におけるポケット生地で覆われる部分とが、クッションのカバーに相当する部分になる構造となっている。このため、クッションとしての使用時にその外面が汚れ、その後、ポンチョとして着用する場合であっても、その汚れた部分は、上向きポケットの内側になるようになっている。したがって、汚れた部分が着用者の頭部に触れることがないだけでなく、その汚れが外側からは見えにくい上向きポケットの内側に隠れるようになっている。
【００１１】
本発明のポンチョにおいて、ポケット生地の素材は、伸縮性を有するものであれば特に限定されない。しかし、ポケット生地の伸び率（ＪＩＳＬ１０９６「織物及び生地試験方法におけるＢ法」の「８．１６．１  伸び率」におけるＢ法で測定した伸び率のことをいう。以下同じ。）が低すぎると、上向きポケットを裏返しにくくなるおそれがある。このため、ポケット生地の伸び率は、通常、１１０％以上とされる。ポケット生地の伸び率は、１１５％以上であると好ましく、１２０％以上であるとより好ましく、１２５％以上であるとさらに好ましい。一方、ポケット生地の伸び率が高すぎると、ポケット生地の引張強度が低下するおそれがある。このため、ポケット生地の伸び率は、通常、２００％以下とされる。ポケット生地の伸び率は、１７０％以下であると好ましく、１６０％以下であるとより好ましく、１５０％以下であるとさらに好ましい。
【００１２】
また、本発明のポンチョにおいて、前面部及び背面部の素材は、ポンチョの生地として相応しいものであれば特に限定されず、各種の不織布や織布や編布などを用いることができる。しかし、ポンチョの防寒性を高めたり、ポンチョの肌触りを良好にしたり、クッションとして使用する際のクッション性を高めたり、ポンチョの製造コストを抑えたりすることなどを考慮すると、前面部及び背面部は、不織布によって形成すると好ましい。このとき、不織布（特に不織布の内面）に起毛加工を施すと、ポンチョの防寒性をさらに高めるだけでなく、クッションとして使用する際のクッション性をさらに高めることも可能になる。
【００１３】
さらに、本発明のポンチョにおいて、前面部及び背面部のそれぞれの厚さ（ＪＩＳＬ１０９６「織物及び生地試験方法におけるＢ法」の「８．４  厚さ」におけるＡ法で測定した厚さのことをいう。以下同じ。）は、その素材によっても異なり、特に限定されない。
しかし、前面部及び背面部を薄くしすぎると、クッションとして使用する際のクッション性を確保することが困難になるだけでなく、前面部及び背面部の引張強度やポンチョの防寒性を確保することが困難になる。このため、前面部及び背面部の厚さは、通常、０．５ｍｍ以上とされる。前面部及び背面部の厚さは、０．７ｍｍ以上であると好ましく、０．９ｍｍ以上であるとより好ましく、１ｍｍ以上であるとさらに好ましい。一方、前面部及び背面部を厚くしすぎると、前面部及び背面部を折り畳みにくくなるだけでなく、ポンチョの重量が大きくなってしまう。このため、前面部及び背面部の厚さは、通常、５ｍｍ以下とされる。前面部及び背面部の厚さは、４ｍｍ以下であると好ましく、３ｍｍ以下であるとより好ましく、２ｍｍ以下であるとさらに好ましい。ここで述べた厚さは、前面部及び背面部を不織布とする場合に特に好適に採用できる。
【００１４】
ところで、本発明のポンチョにおいて、ポケット生地の形状は、通常、略矩形とされる。ポケット生地の寸法は、ポンチョをクッションとして使用する際の寸法に影響を及ぼす。このため、ポケット生地の寸法は、クッションとして使用する際の寸法を考慮して適宜決定され、特に限定されない。しかし、クッション生地の横長を短くしすぎると、ポンチョをクッションに変形する際の横方向での折り畳み回数が多くなり、手間がかかるようになる。加えて、クッションの寸法を大きく確保することも困難になる。このため、前面部の横長Ｌ１（前面部の横長が場所によって異なる場合にはその最大値）に対するポケット生地の横長Ｌ２の比Ｌ２／Ｌ１は、通常、１／１０以上とされる。比Ｌ２／Ｌ１は、１／９以上であると好ましく、１／８以上であるとより好ましく、１／７以上であるとさらに好ましい。一方、ポケット生地の横長を長くしすぎると、クッションとして使用する際のクッション性を確保することが困難になる。このため、比Ｌ２／Ｌ１は、通常、１／３以下とされる。比Ｌ２／Ｌ１は、１／４以下であると好ましく、１／５以下であるとより好ましい。
【００１５】
これに対し、クッション生地の縦長を短くしすぎると、ポンチョをクッションに変形する際の縦方向での折り畳み回数が多くなり、手間がかかるようになる。加えて、クッションの寸法を大きく確保することも困難になる。このため、前面部の縦長Ｌ３（前面部の縦長が場所によって異なる場合にはその最大値）に対するポケット生地の縦長Ｌ４の比Ｈ４／Ｈ３は、通常、１／４以上とされる。比Ｈ４／Ｈ３は、１／３．５以上であると好ましく、１／３以上であるとより好ましく、１／２．５以上であるとさらに好ましい。一方、ポケット生地の縦長を長くしすぎると、クッションとして使用する際のクッション性を確保することが困難になる。このため、比Ｈ４／Ｈ３は、通常、１／２以下とされる。比Ｈ４／Ｈ３は、１／２．１以下であると好ましく、１／２．２以下であるとより好ましく、１／２．３以下であるとさらに好ましい。
【００１６】
また、本発明のポンチョにおいて、前面部及び背面部の形状は、ポンチョのデザインなどによって適宜決定され、特に限定されない。しかし、前面部及び背面部が、それぞれ、その上端から下端にかけて横長が徐々に短くなる下狭まり状を為すようにすると好ましい。背面部は、前面部と略合同形状を為すようにするとより好ましい。これにより、前面部及び背面部を折り畳んでポンチョをクッションに変形した際に、クッションの中央部が最も高く（厚く）なるようにしやすくすることができる。前面部及び背面部は、下縁が円弧状に形成されて上縁が直線状（弦状）に形成された欠円状を為すように形成すると、ポンチョとして着用した際の見た目を柔らかくすることができる。
【発明の効果】
【００１７】
以上のように、本発明によって、クッションとしても使用できるポンチョ（クッション兼用ポンチョ）であって、ポンチョにおけるフード以外の部分がクッションにおけるカバーに相当する部分になる構造のポンチョを提供することが可能になる。よって、フードの有無にかかわらず、クッションとして使用できるクッション兼用ポンチョを提供することも可能になる。また、フードの形状がクッションの形状に影響されないクッション兼用ポンチョを提供することも可能になる。さらに、クッションとしての使用時にその外面が汚れたとしても、ポンチョとしての着用時にその汚れた部分が着用者の頭部に触れることのないクッション兼用ポンチョを提供することも可能になる。さらにまた、ポンチョとしての着用時の見た目が良いクッション兼用ポンチョを提供することも可能になる。
【図面の簡単な説明】
【００１８】
【図１】本発明に係るポンチョの前面部と背面部とを開いた状態を前面部及び背面部の外面側から見た様子を示した図である。
【図２】本発明に係るポンチョの前面部と背面部とを閉じた状態を前面部の外面側から見た様子を示した図である。
【図３】本発明に係るポンチョの前面部と背面部とを閉じた状態を背面部の外面側から見た様子を示した図である。
【図４】本発明に係るポンチョを着用した状態を撮影した写真である。
【図５】本発明に係るポンチョを膝掛けとして使用した状態を撮影した写真である。
【図６】本発明に係るポンチョをクッションに変形した状態を撮影した写真である。
【図７】本発明に係るポンチョの前面部及び背面部の一端側を、図３に示す状態から横方向に折り畳んだ状態を示した図である。
【図８】本発明に係るポンチョの前面部及び背面部の他端側を、図７に示す状態から横方向に折り畳んだ状態を示した図である。
【図９】本発明に係るポンチョのフード部を、図８に示す状態から縦方向に折り返した状態を示した図である。
【図１０】本発明に係るポンチョの前面部及び背面部を、図９に示す状態から縦方向に折り返した状態を示した図である。
【図１１】本発明に係るポンチョを、図１０に示す状態から横方向に裏返した状態を示した図である。
【図１２】本発明に係るポンチョの上向きポケットを、図１１に示す状態から裏返している途中の状態を示した図である。
【図１３】本発明に係るポンチョの上向きポケットを、図１２に示す状態から裏返し終え、クッションに変形した状態を示した図である。
【図１４】本発明に係るポンチョから変形したクッションを、図１３に示す状態から横方向に裏返した状態を示した図である。
【発明を実施するための形態】
【００１９】
本発明に係るポンチョの好適な実施態様について、図面を用いてより詳しく説明する。図１は、本発明に係るポンチョの前面部と背面部とを開いた状態を前面部及び背面部の外面側から見た様子を示した図である。図２は、本発明に係るポンチョの前面部と背面部とを閉じた状態を前面部の外面側から見た様子を示した図である。図３は、本発明に係るポンチョの前面部と背面部とを閉じた状態を背面部の外面側から見た様子を示した図である。本発明のポンチョ１０は、図１〜３に示すように、前面部１１と背面部１２とを有しており、前面部１１と背面部１２との境界中央部分に首出し穴１０ａが設けられたものとなっている。前面部１１の外面における下部中央には、伸縮性を有するポケット生地１３が縫着されている。以下、ポンチョ１０の各部について詳しく説明する。
【００２０】
［前面部］
前面部１１は、ポンチョ１０を着用した際に、着用者の両肩から胸側に垂下される部分となる。前面部１１には、各種の不織布や織布や編布などを用いることができるが、本実施態様においては、内面に起毛加工が施された不織布を前面部１１として用いている。この不織布は、後述するポケット生地１３と同じ素材となっている。前面部１１の形状は、特に限定されないが、本実施態様においては、図２に示すように、その下縁が円弧状に形成されて上縁が直線状を為す欠円状としている。前面部１１の端部には、まつり縫いやかがり縫いやパイピング処理などのほつれ防止処理を施してもよい。前面部１１の横長Ｌ１や縦長Ｌ３は、想定される着用者の身長などに応じて適宜決定される。例えば、ポンチョ１０を成人用のものとする場合には、前面部１１の横長Ｌ１は、通常、１００〜２５０ｃｍ程度とされ、前面部１１の縦長Ｌ３は、通常、３０〜１００ｃｍ程度とされる。本実施態様において、前面部１１の横長Ｌ１は、約１９０ｃｍで、前面部１１の縦長Ｌ３は、約７０ｃｍとなっている。
【００２１】
［背面部］
背面部１２は、ポンチョ１０を着用した際に、着用者の両肩から背中側に垂下される部分となっている。背面部１２には、各種の不織布や織布や編布などを用いることができるが、本実施態様においては、内面に起毛加工が施された不織布を背面部１２として用いている。この不織布は、上述した前面部１１や後述するポケット生地１３と同じ素材となっている。背面部１２の形状は、特に限定されないが、本実施態様においては、図３に示すように、その下縁が円弧状に形成されて上縁が直線状を為す欠円状としている。背面部１２の端部には、まつり縫いやかがり縫いやパイピング処理などのほつれ防止処理を施してもよい。背面部１２の横長や縦長は、通常、前面部１１の横長Ｌ１や縦長Ｌ３と同じとされるが、背面部１２の縦長を前面部１１の縦長Ｌ３よりも長くするなど、前面部１１と背面部１２とで差を設けることもできる。また、背面部１２は、前面部１１と一枚の生地で繋がった構造としてもよいが、本実施態様においては、別々の生地からなる前面部１１及び背面部１２を肩線（図３における線分Ｐ１Ｐ４及び線分Ｑ１Ｑ４）に沿って縫合している。
【００２２】
［ポケット生地］
ポケット生地１３は、図２に示すように、前面部１１の外面における下部中央に上向きポケット１３ａを形成するためのものとなっている。この上向きポケット１３ａは、ポンチョ１０を着用した際に、着用者の腹部から股部の前側辺りに位置するようになっている。内向きポケット１３ａの内側には、物を収容することができる。ポケット生地１３は、伸縮性を有する、各種の不織布や織布や編布などを用いることができるが、本実施態様においては、伸び率が約１３０％の不織布を背面部１２として用いている。この不織布は、上述した前面部１１や背面部１２と同じ素材となっている。ポケット生地１３の形状は、ポンチョ１０のクッションへの変形を阻害しないのであれば特に限定されないが、本実施態様においては、略矩形状としている。ポケット生地１３は、その底辺（下縁）及び一対の側辺（側縁）に沿った箇所で前面部１１に対して縫着しており、ポケット生地１３の上辺（上縁）に沿った箇所に、上向きポケット１３ａの開口部が形成されるようになっている。ポケット生地１３の下縁は、前面部１１の下縁から上側にずれた位置に配してもよいが（ポケット生地１３の下縁と前面部１１の下縁との間に隙間を設けてもよいが）、上向きポケット１３ａを綺麗に裏返すことができるようにし、ポンチョ１０から変形されるクッションの形状が歪にならないようにするためには、ポケット生地１３の下縁を前面部１１の下縁に重ねると好ましい。
【００２３】
［首出し穴］
首出し穴１０ａは、ポンチョ１０を着用する際に、着用者が首を出すための部分となっている。本実施態様においては、首出し穴１０ａの周囲から上向きに、着用者の頭部を覆うためのフード部１４を取り付けており、着用者は、フード部１４を被った状態であっても、フード部１４の前面側に設けられた顔出し穴１４ａから顔を出すことができるようになっている。このように、フード部１４を設けることにより、着用者の頭部の防寒対策を行うことが可能になるだけでなく、ポンチョ１０をクッションに変形した際の厚みを増加させてクッション性をさらに高めることもできる。また、本実施態様においては、図３に示すように、フード部１４の後頭部に、着用者の後頭部の膨らみに沿う膨出部１４ｂを設けている。既に述べた通り、本発明のポンチョ１０では、クッションにおけるカバーに相当する部分（クッションに変形した場合にクッションの外面に表れる部分）となるのは、フード部１４ではなく、ポケット生地１３と、前面部１１におけるポケット生地１３で覆われる部分であるため、フード部１４の形態に変化を持たせることができる。フード部１４は、各種の不織布や織布や編布などを用いて形成することができるが、本実施態様においては、上述した前面部１１や背面部１２やポケット生地１３と同じ素材（不織布）を用いている。
【００２４】
［使用方法］
続いて、本発明に係るポンチョ１０の使用方法について説明する。本発明に係るポンチョ１０は、首出し穴１０ａから首を出すことにより着用するものとなっている。ポンチョ１０を着用した際には、前面部１１が着用者の胸側となり、背面部１２が着用者の背中側となる。本実施態様のポンチョ１０は、フード部１４を備えたものとなっており、必要に応じて、フード部１４を頭部に被って着用することもできる。フード部１４を被る場合には、顔出し穴１４ａから顔を出すことができる。図４は、本発明に係るポンチョ１０を着用した状態を撮影した写真である。このように、本発明に係るポンチョ１０は、防寒着として着用することができる。
【００２５】
また、本発明に係るポンチョ１０は、膝掛けとして使用することもできる。この場合、ポンチョ１０における前面部１１と背面部１２は、図１に示すように、開いた状態で使用してもよいが、通常、図２及び図３に示すように、前面部１１と背面部１２とを閉じた状態で使用される。そして、ポンチョ１０を膝掛けとして使用する場合には、フード部１４は、図２及び図３に示すように、首出し穴１０ａから上向きに突出した状態で使用してもよいが、フード部１４を首出し穴１０ａの内部に収容した状態で使用すると好ましい。図５は、本発明に係るポンチョ１０を膝掛けとして使用した状態を撮影した写真である。このように、本発明に係るポンチョ１０は、膝掛けとして使用することもできる。
【００２６】
さらに、本発明に係るポンチョ１０は、クッションとして使用することもできる。図６は、本発明に係るポンチョ１０をクッションに変形した状態を撮影した写真である。本発明に係るポンチョ１０を、クッションに変形する方法については、以下の通りである。
【００２７】
まず、図３に示すように、背面部１２が上面側となるようにポンチョ１０を平らな面上に広げる。続いて、図７に示すように、ポンチョ１０の前面部１１及び背面部１２の一端側（図３の紙面に向かって右側。点Ｐ１，Ｐ２，Ｐ３，Ｐ４，Ｐ５で囲まれた部分。）を横方向に折り畳む。図７は、本発明に係るポンチョ１０の前面部１１及び背面部１２の一端側を、図３に示す状態から横方向に折り畳んだ状態を示した図である。本例では、図３における線分Ｐ１Ｐ２で谷折りとなり、線分Ｐ５Ｐ３で山折りとなるように、前面部１１及び背面部１２を折り畳んでいる。図７に示す状態においては、前面部１１及び背面部１２における折り畳まれた部分が、フード部１４の横幅と同等となるか、フード部１４の横幅よりもやや狭い範囲に収まるようにする。背面部１２における折線となる線分Ｐ１Ｐ２や線分Ｐ５Ｐ３に沿った箇所には、ステッチなどの目印を設けることもできる。これにより、折り畳むべき箇所を容易に認識することが可能になる。
【００２８】
ポンチョ１０を図７に示す状態まで折り畳むと、図８に示すように、ポンチョ１０の前面部１１及び背面部１２の左端側（図７の紙面に向かって右側。点Ｑ１，Ｑ２，Ｑ３，Ｑ４，Ｑ５で囲まれた部分。）を横方向に折り畳む。図８は、本発明に係るポンチョ１０の前面部１１及び背面部１２の他端側を、図７に示す状態から横方向に折り畳んだ状態を示した図である。本例では、図７における線分Ｑ１Ｑ２で谷折りとなり、線分Ｑ５Ｑ３で山折りとなるように、前面部１１及び背面部１２を折り畳んでいる。図８に示す状態においては、前面部１１及び背面部１２における折り畳まれた部分が、フード部１４の横幅と同等となるか、フード部１４の横幅よりもやや狭い範囲に収まるようにする。背面部１２における折線となる線分Ｑ１Ｑ２や線分Ｑ５Ｑ３に沿った箇所には、ステッチなどの目印を設けることもできる。これにより、折り畳むべき箇所を容易に認識することが可能になる。
【００２９】
ポンチョ１０を図８に示す状態まで折り畳むと、図９に示すように、ポンチョ１０のフード部１４を縦方向に折り返した後、図１０に示すように、ポンチョ１０を縦方向に折り返す。図９は、本発明に係るポンチョ１０のフード部１４を、図８に示す状態から縦方向に折り返した状態を示した図である。図１０は、本発明に係るポンチョ１０の前面部１１及び背面部１２を、図９に示す状態から縦方向に折り返した状態を示した図である。
【００３０】
ポンチョ１０を図１０に示す状態まで折り畳むと、ポンチョ１０を同図の太矢印で示す向きに裏返し、図１１に示すように、ポケット生地１３が上面側となるようにする。図１１は、本発明に係るポンチョ１０を、図１０に示す状態から横方向に裏返した状態を示した図である。このとき、ポンチョ１０は、ポケット生地１３と同等の大きさまで折り畳まれた状態となっている。
【００３１】
続いて、図１２に示すように、ポケット生地１３の上縁部を手でつかんで、同図の太矢印で示すように、上向きポケット１３ａを裏返し、図１３及び図１４に示すように、ポケット生地１３が反対側（図１３の紙面奥側）に回り込んだ状態（裏返された上向きポケット１３ａの内部に、前面部１１及び背面部１２における折り畳まれた部分を収容した状態）とすることにより、クッションへの変形が完了する。図１２は、本発明に係るポンチョ１０の上向きポケット１３ａを、図１１に示す状態から裏返している途中の状態を示した図である。図１３は、本発明に係るポンチョ１０の上向きポケット１３ａを、図１２に示す状態から裏返し終え、クッションに変形した状態を示した図である。図１４は、本発明に係るポンチョ１０から変形したクッションを、図１３に示す状態から横方向に裏返した状態を示した図である。
【００３２】
以下で説明したクッションへの変形方法は、あくまで一例であり、折り返す順番や、折り返す向きなどは、適宜変更することができる。
【符号の説明】
【００３３】
１０    ポンチョ
１０ａ  首出し穴
１１    前面部
１２    背面部
１３    ポケット生地
１４    フード部
１４ａ  顔出し穴
１４ｂ  膨出部
【図１】
2015101810.tif 000003
【図２】
2015101810.tif 000004
【図３】
2015101810.tif 000005
【図７】
2015101810.tif 000006
【図８】
2015101810.tif 000007
【図９】
2015101810.tif 000008
【図１０】
2015101810.tif 000009
【図１１】
2015101810.tif 000010
【図１２】
2015101810.tif 000011
【図１３】
2015101810.tif 000012
【図１４】
2015101810.tif 000013
【図４】
2015101810.tif 000014
【図５】
2015101810.tif 000015
【図６】
2015101810.tif 000016